(57)【特許請求の範囲】
【請求項１】
シリンダ１から上方付勢させて、下端に筒状ピストン23を有するステム11を起立し、該ステムの上下動で、シリンダ１下部内に設けた吸込み弁を介してシリンダ１内へ液体を吸込み、かつ該吸込み液体をステム11下部に設けた吐出弁を介してステム11上端から吐出可能に設けた、液体吐出容器形成用部材として分解不能に一体的に組付けされた縦形ポンプ体であって、
上記ステム11を上下動自在に挿通させてシリンダ１の上端部内面に止め筒32を固着し、該止め筒下端に設けた下向き段部34へ筒状ピストン23上端を乗越え不能に係合させることにより、上記ステム11の上方抜出しが不能に形成させてあって、装着筒42の主筒部43の内面中間部に付設した内向きフランジ状壁44内周縁から起立する結合筒45内面へ上記シリンダ１の上端部を嵌着させると共に、主筒部43下半を容器体口頸部外面へ螺合させて該口頸部上端面と上記内向きフランジ状壁44とでパッキング36を挟持させることで、容器体への組付けが可能に形成したことを特徴とする縦形ポンプ体。
【請求項２】
上記結合筒45の上端に内向きフランジ状壁を付設し、該内向きフランジ状壁内周縁に付設した小突起52下端を、止め筒32上端面へ当接させたことを特徴とする請求項１記載の縦形ポンプ体。
【発明の詳細な説明】
【０００１】
【発明の属する技術分野】
本発明は、液体吐出容器形成用の縦形ポンプ体に係る。
【０００２】
【従来の技術】
【発明が解決しようとする課題】
ヘッド押下げ式の噴出器を装着させた液体吐出容器が広く知られており、例えば、容器体の口頸部上端面へ、上部に有する外向きフランジ状壁を係合させて容器体内上部へシリンダを垂設し、また、口頸部外面に嵌合させた装着筒上端の内向きフランジ状壁と口頸部上端面とで上記外向きフランジ状壁を挟持させ、更にシリンダ内から上方付勢されて起立する作動部材上端のヘッドからノズルを前方突設し、作動部材を上下動させることによって、容器体内の収納液体をノズルから吐出させるよう形成した容器が知られている。
【０００３】
ところで、上記液体吐出容器では、収納液体を直接噴出させるだけでなく、ノズル内部に発泡用ネットを張設して、収納液体を泡放出させるよう形成し、或いはノズル先端に小径の噴霧孔を穿設して、収納液体を噴霧させるよう形成することが周知であり、容器メーカーは、ユーザーの要求に従って噴出用、噴霧用或いは泡放出用の液体吐出容器を作製するが、この種液体吐出容器は構成部品数が多く、組み立てに手数を要するため、短期間に大量に注文されると、これに円滑に対応することが困難であった。
【０００４】
また、上記液体吐出容器では、ユーザー側が、製品の差別化等を理由として、ノズル付きヘッド、装着筒等、容器の外観として現れる部品のデザイン、色彩等を適宜変更することを望むことがあるが、上記のように、この種液体吐出容器は組み立てに手数を要するため、そのようなユーザーの要求に円滑に対応することが容易でなかった。
【０００５】
本発明は、ノズル付きヘッド、装着筒を除く、シリンダ、ステム等の部品を分解不能に一体的に組み立て、かつシリンダの上部内面に、ステムを抜け止めする筒体を嵌着させることで、ノズル付きヘッド、装着筒を除くヘッド押下げ式噴出器の主要部分、つまり縦形ポンプ体を予め作製しておき、ユーザーの要求に従って、その他部品を組付けした液体吐出容器を迅速かつ円滑に発送できるよう設けた。
【０００８】
【課題を解決するための手段】
第１の手段として、シリンダ１から上方付勢させて、下端に筒状ピストン23を有するステム11を起立し、該ステムの上下動で、シリンダ１下部内に設けた吸込み弁を介してシリンダ１内へ液体を吸込み、かつ該吸込み液体をステム11下部に設けた吐出弁を介してステム11上端から吐出可能に設けた、液体吐出容器形成用部材として分解不能に一体的に組付けされた縦形ポンプ体であって、
上記ステム11を上下動自在に挿通させてシリンダ１の上端部内面に止め筒32を固着し、該止め筒下端に設けた下向き段部34へ筒状ピストン23上端を乗越え不能に係合させることにより、上記ステム11の上方抜出しが不能に形成させてあって、装着筒42の主筒部43の内面中間部に付設した内向きフランジ状壁44内周縁から起立する結合筒45内面へ上記シリンダ１の上端部を嵌着させると共に、主筒部43下半を容器体口頸部外面へ螺合させて該口頸部上端面と上記内向きフランジ状壁44とでパッキング36を挟持させることで、容器体への組付けが可能に形成した。
【０００９】
第２の手段として、上記第１の手段を有し、かつ上記結合筒45の上端に内向きフランジ状壁を付設し、該内向きフランジ状壁内周縁に付設した小突起52下端を、止め筒32上端面へ当接させた。
【００１１】
【発明の実施の形態】
図１から図３は本発明縦形ポンプ体の第１実施形態を示し、１はシリンダであり、該シリンダは、周壁の上端部内面に係合凹部を、かつ周壁の上部外面にパッキング装着用の浅溝３を、それぞれ周設すると共に、その浅溝３直ぐ下方の周壁部分に吸気孔を穿設し、また、周壁の内面下端部に適宜間隔をおいて同長のガイド板５を複数縦設し、これ等ガイド板直ぐ下方の周壁部分内面に下方小径テ−パ状の吸込み弁座を付設し、更に、周壁下端から小径筒部７を垂設している。該小径筒部内面には吸上げパイプ８上部を嵌着させるが、該吸上げパイプは、本発明の縦形ポンプ体を容器体９へ取付ける前に装着させもよく、また図３が示すように、本発明の縦形ポンプ体を容器体９へ取付ける際に装着させてもよい。後者の場合は、本発明の縦形ポンプ体を運送する際に嵩張らない利点がある。
【００１２】
11はステムであり、該ステムは、下部筒12と、該下部筒の上部外面へ嵌着させた上部筒12とで形成され、上部筒12の下端部外面に係合突起14を付設している。また下部筒13は、下部に吐出孔を穿設し、かつ該吐出孔直ぐ下方の下部筒部分に小突部16を周設して、該小突部上面を吐出弁座とし、更に、その小突部16下方の下部筒部分を小径の挟持部17とし、また更に、上記小突部16下面から垂設する短周壁下部を大外径として、該大外径部外面を上記シリンダ１の内面上部へ嵌合させ、かつその短周壁上部に連通孔を穿設している。
【００１３】
21は摺動筒であり、該摺動筒は、上記小突部16と係合突起14との間を上下摺動させることが可能に筒状弁部22を上記下部筒13の下部外面へ嵌合させると共に、筒状弁部22の下部外面に付設した筒状ピストン23を上記シリンダ１の内面上部へ嵌合させ、また図１，図２が示すように、上記ステム11に対して当該摺動筒が下限まで下降した状態では、上記筒状弁部22下端面が上記小突部16上面の吐出弁座へ着座して、該吐出弁座と筒状弁部22とで形成する吐出弁が閉弁し、かつ図３が示すように、ステム11に対して当該摺動筒が上方へ移動したとき、上記吐出弁が開弁するよう設けている。
【００１４】
26はコイルスプリングであって、上記ガイド板５上面とステム11下端との間に介在されて該ステムを上方へ付勢している。
【００１５】
27は棒状体であり、該棒状体は、その上半を上記ステム11内径よりも小外径として、該小径部上部をステム11の下部内へ挿入させ、かつ上記挟持部17により強制摺動可能に、つまり自重では摺動不能に抱持させている。また、当該棒状体下部には、下端面開口の盲穴を穿設してその外周部分を弾性筒部28とし、かつ該弾性筒部の下端外周部をテ−パ状の吸込み弁体とし、図３が示すように、当該棒状体をステム11を介して下限まで押下げることで、上記吸込み弁体と吸込み弁座とで形成する吸込み弁が閉弁するよう形成している。更に図２が示すように、上記弾性筒部28の上端部外面には複数の係合ピン30を付設し、図３が示す状態から、当該棒状体が上記ステム11の挟持部17により引上げられたとき、係合ピン30上端が上記コイルスプリング26下面へ接して停止するよう形成している。
【００１６】
32は止め筒であり、該止め筒は、上記ステム11を上下動自在に挿通させて周壁外面を上記シリンダ１の上部内面へ嵌合させると共に、その周壁の上端外面に周設した係合突部33を上記シリンダ１上端部内面の係合凹部内へ抜き出し不能に係止させ、また、周壁の上端外面に付設した外向きフランジ状壁35をシリンダ１上端へ係合させ、更に、周壁上半を厚肉とし、かつ周壁をシリンダ１上部より小内径とすることで、周壁の内面中間と下端とに下向き段部34a, 34bを形成し、下方側の下向き段部34ｂへ既述筒状ピストン23上端を乗越え不能に係合させて、ステム11がシリンダ１から抜け出すことを阻止し、かつ上方側の下向き段部34ａ下面へ、既述ステム11の上部筒12下端外面に付設した係合突起14上面を近接させることで、ステム11がシリンダ１から抜け出すことを更に確実に阻止できるよう形成している。
【００１７】
図２は、本発明縦形ポンプ体にヘッド37、装着筒42およびパッキング36を装着させて容器体９へ取付けた状態を示し、ヘッド37は、頂壁の下面中央部から垂設したステム嵌合筒38内面を上記ステム11の上部筒12上部外面へ嵌着させ、かつ頂壁周縁から垂設した外周壁39前部上方から突設するノズル40と上記ステム嵌合筒38を連通させている。
【００１８】
装着筒42は、下半を容器体口頸部嵌合用の螺筒とした主筒部43を有し、該主筒部の内面中間に付設した内向きフランジ状壁44と容器体９の口頸部上端面とでパッキング36を挟持させ、かつ、その内向きフランジ状壁44内周縁から起立する結合筒45内面を上記シリンダ１の上端部外面へ凹凸の係合手段で嵌着させ、また、結合筒45上端に付設した突部46下面をシリンダ１上端へ係合させている。
【００１９】
図２が示す状態から、ヘッド37を押下げると、ステム11の挟持部17で抱持された棒状体27がステム11と共にシリンダ１に対して下降し、また、摺動筒21がシリンダ１内壁面への摩擦抵抗によりステム11に対して停止するため、吐出弁が開弁し、かつ摺動筒21の筒状弁部22上端がステム11の係合突起14下面へ接した後、図３が示すように、ステム11と共に摺動筒21が下降し、更に、シリンダ１の吸込み弁座へ棒状体27の吸込み弁体が圧接して吸込み弁が閉じ、かつ棒状体27が下降を停止し、更に、ステム11は棒状体27を抱持したまま摩擦抵抗に抗して尚下降するため、シリンダ１内の液体等が加圧されてノズル40から吐出される。次に、ヘッド37の押下げを解放すると、コイルスプリング26の付勢によってステム11および棒状体27が上昇して、吸込み弁が開弁し、次いで棒状体27の係合ピン30がコイルスプリング26下面へ接して、棒状体27が上昇することを阻止するため、該棒状体がステム11に対して停止し、また、摺動筒21はシリンダ１内面との摩擦抵抗でステム11に対して停止しているが、筒状弁部22下端が吐出弁座へ着座して吐出弁を閉じた後、ステム11と共に上昇し、これによりシリンダ１内が負圧化して、容器体内液体等が吸上げパイプ８を介してシリンダ内へ吸い込まれる。
【００２０】
尚、当該第１実施形態の縦形ポンプ体では、図１が想像線で示すように、外向きフランジ状壁35外周部を切欠き、かつ該切欠きへ上記突部46下面を係合させるよう形成してもよい。
【００２１】
図４と図５は、本発明縦形ポンプの第２の実施形態を示し、第１実施形態と相違する点についてのみ説明する。
【００２２】
図４，図５が示す第２実施形態では、止め筒32の周壁上端内面に小突部47を付設することで、該止め筒の周壁上端内面に上方側の下向き段部34ａを形成し、かつ、装着筒42の結合筒45上端に内向きフランジ状頂壁を形成し、該内向きフランジ状頂壁内周縁に付設した小突起52下端を止め筒32上端面へ圧接させている。
【００２６】
止め筒32を除く各部材は上記構成に限定されず、例えば、棒状体27に代えて玉弁を吸込み弁座上面へ載置させることで吸込み弁を形成し、或いはステム11を一体形成する等してもよい。
更に各実施形態では、液体噴出用のヘッド37を装着させたが、噴霧用ないし泡放出用の公知のヘッドを用いてもよい。
また更に各実施形態では、コイルスプリング26を除く各部材を合成樹脂材で適宜成形する。
【００２７】
【発明の効果】
本発明は上記構成とするものであり、図１ないし図５が示す発明の場合はシリンダ１から上方付勢させて、下端に筒状ピストン23を有するステム11を起立し、該ステムの上下動で、シリンダ1 下部内に設けた吸込み弁を介してシリンダ１内へ液体を吸込み、かつ該吸込み液体をステム11下部に設けた吐出弁を介してステム11上端から吐出可能に設けた、液体吐出容器形成用部材としての縦形ポンプ体を分解不能に一体的に組付け、かつステム11を上下動自在に挿通させてシリンダ1 の上端部内面に止め筒32を固着し、該止め筒下端に設けた下向き段部34b へ筒状ピストン23上端を乗越え不能に係合させることにより、ステム11の上方抜け出しを阻止するよう形成したから、ノズル付きヘッド、装着筒を除いたヘッド押下げ式噴出器の主要部分、つまり縦形ポンプ体を予め作製することができ、よって、ユーザーの要望に従って噴出用、噴霧用或いは泡放出用のヘッドを適宜選択して、予め作製しておいた本発明の縦形ポンプ体のステム11上部外面へ装着させることで、最終製品としての噴出用、噴霧用或いは泡放出用の液体吐出容器を迅速かつ容易に作製することができ、かつユーザーからノズル付きヘッド、装着筒のデザイン、色彩等の変更を求められた場合に、予め作製しておいた本発明の縦形ポンプ体にデザイン、色彩等を変更したノズル付きヘッド、装着筒を装着させることで、ユーザーの要求に円滑に対応することができる。
【図面の簡単な説明】
【図１】  本発明縦形ポンプ体の第１実施形態を示す半断面図である。
【図２】  同実施形態を、ヘッドおよび装着筒を装着させた状態で示す半断面図である。
【図３】  同実施形態の作用を説明する半断面図である。
【図４】  本発明縦形ポンプ体の第２実施形態を示す半断面図である。
【図５】  同実施形態を、ヘッドおよび装着筒を装着させた状態で示す半断面図である。
【図１】
0003657336.tif 000002
【図２】
0003657336.tif 000003
【図３】
0003657336.tif 000004
【図４】
0003657336.tif 000005
【図５】
0003657336.tif 000006